(57)【要約】【課題】一般給湯経路を２つの給湯経路に分岐してそれぞれの給湯経路に同時に異なる温度で給湯することが可能な給湯システムを提供する。【解決手段】メイン給湯温度センサＴ６の温度に基づいてメイン給湯端末６０の設定温度となるように給湯循環ポンプＰ１を制御するとともにサブ給湯温度センサＴ７の温度に基づいてサブ給湯端末７０の設定温度となるようにサブ給湯混合弁５４の開度を制御し、またサブ給湯温度センサＴ７の温度に基づいてサブ給湯端末７０の設定温度となるように給湯循環ポンプＰ１を制御するとともにメイン給湯温度センサＴ６の温度に基づいてメイン給湯端末６０の設定温度となるようにメイン給湯混合弁５３の開度を制御する。【選択図】図１
2014102042.tif 000002
【特許請求の範囲】
【請求項１】
熱媒体を貯留するタンク、前記タンク内の熱媒体を加熱する加熱手段、前記タンクから取り出した高温の熱媒体とそれよりも低温の低温水とを熱交換する給湯熱交換器、前記給湯熱交換器と前記タンクとの間で前記高温の熱媒体を循環させる給湯循環ポンプ、一般給湯端末に湯を供給する一般給湯経路、浴槽端末に湯を供給する浴槽給湯経路、を含む給湯機と、
前記一般給湯経路を少なくとも第１給湯端末に設定された第１給湯温度の湯が通流する第１流路と第２給湯端末に設定された第２給湯温度の湯が通流する第２流路とに分岐して前記湯を分配する分配ユニットと、を備え、
前記分配ユニットは、少なくとも、
前記第１流路に通流する湯と前記低温水とを混合する第１給湯混合弁と、
前記第２流路に通流する湯と前記低温水とを混合する第２給湯混合弁と、
前記第１流路に通流する湯の第１温度を検出する第１温度検出手段と、
前記第２流路に通流する湯の第２温度を検出する第２温度検出手段と、
前記第１温度に基づいて前記第１給湯温度となるように前記給湯循環ポンプまたは前記第１給湯混合弁を制御し、前記第２温度に基づいて前記第２給湯温度となるように前記給湯循環ポンプまたは前記第２給湯混合弁を制御する制御手段と、
を含むことを特徴とする給湯システム。
【請求項２】
熱媒体を貯留するタンク、前記タンク内の熱媒体を加熱する加熱手段、前記タンクから取り出した高温の熱媒体とそれよりも低温の低温水とを混合する給湯混合弁、前記給湯混合弁に導入される前記低温水を所定圧に減圧する減圧弁、一般給湯端末に湯を供給する一般給湯経路、浴槽端末に湯を供給する浴槽給湯経路、を含む給湯機と、
前記一般給湯経路を少なくとも第１給湯端末に設定された第１給湯温度の湯が通流する第１流路と第２給湯端末に設定された第２給湯温度の湯が通流する第２流路とに分岐して前記湯を分配する分配ユニットと、を備え、
前記分配ユニットは、少なくとも、
前記第１流路に通流する湯と前記所定圧に減圧された前記低温水とを混合する第１給湯混合弁と、
前記第２流路に通流する湯と前記所定圧に減圧された前記低温水とを混合する第２給湯混合弁と、
前記第１流路に通流する湯の第１温度を検出する第１温度検出手段と、
前記第２流路に通流する湯の第２温度を検出する第２温度検出手段と、
前記第１温度に基づいて前記第１給湯温度となるように前記給湯循環ポンプまたは前記第１給湯混合弁を制御し、前記第２温度に基づいて前記第２給湯温度となるように前記給湯循環ポンプまたは前記第２給湯混合弁を制御する制御手段と、
を含むことを特徴とする給湯システム。
【請求項３】
前記分配ユニットは、前記給湯機と一体に構成されていることを特徴とする請求項１または請求項２に記載の給湯システム。
【請求項４】
前記加熱手段は、前記タンクの内部に設けられる電気ヒータであることを特徴とする請求項１から請求項３のいずれか１項に記載の給湯システム。
【発明の詳細な説明】
【技術分野】
【０００１】
本発明は、タンク式の給湯機を備えた給湯システムに関する。
【背景技術】
【０００２】
従来、タンク式の給湯機は、浴槽端末に給湯する浴槽給湯経路（湯はり経路）を１経路と、一般給湯端末に給湯する一般給湯経路を１経路備えたものが種々提案されている（例えば、特許文献１参照）。
【先行技術文献】
【特許文献】
【０００３】
【特許文献１】特開２０１１−２４２０８８号公報
【発明の概要】
【発明が解決しようとする課題】
【０００４】
しかしながら、前記した従来の給湯機では、給湯機１台に対して、浴槽端末に給湯する経路が１経路で、一般給湯端末に給湯する経路が１経路（台所、洗面、トイレなどを含む）であり、一般給湯端末を２経路に分岐させてそれぞれの経路を異なる温度で制御することができなかった。例えば、二世帯住宅で、子世帯が使用する給湯温度と、親世帯が使用する給湯温度とを異なるものにすることが求められている。
【０００５】
本発明は、一般給湯経路を２つの給湯経路に分岐してそれぞれの給湯経路に同時に異なる温度で給湯することが可能な給湯システムを提供する。
【課題を解決するための手段】
【０００６】
第１の発明は、熱媒体を貯留するタンク、前記タンク内の熱媒体を加熱する加熱手段、前記タンクから取り出した高温の熱媒体とそれよりも低温の低温水とを熱交換する給湯熱交換器、前記給湯熱交換器と前記タンクとの間で前記高温の熱媒体を循環させる給湯循環ポンプ、一般給湯端末に湯を供給する一般給湯経路、浴槽端末に湯を供給する浴槽給湯経路、を含む給湯機と、前記一般給湯経路を少なくとも第１給湯端末に設定された第１給湯温度の湯が通流する第１流路と第２給湯端末に設定された第２給湯温度の湯が通流する第２流路とに分岐して前記湯を分配する分配ユニットと、を備え、前記分配ユニットは、少なくとも、前記第１流路に通流する湯と前記低温水とを混合する第１給湯混合弁と、前記第２流路に通流する湯と前記低温水とを混合する第２給湯混合弁と、前記第１流路に通流する湯の第１温度を検出する第１温度検出手段と、前記第２流路に通流する湯の第２温度を検出する第２温度検出手段と、前記第１温度に基づいて前記第１給湯温度となるように前記給湯循環ポンプまたは前記第１給湯混合弁を制御し、前記第２温度に基づいて前記第２給湯温度となるように前記給湯循環ポンプまたは前記第２給湯混合弁を制御する制御手段と、を含むことを特徴とする。
【０００７】
第２の発明は、熱媒体を貯留するタンク、前記タンク内の熱媒体を加熱する加熱手段、前記タンクから取り出した高温の熱媒体とそれよりも低温の低温水とを混合する給湯混合弁、前記給湯混合弁に導入される前記低温水を所定圧に減圧する減圧弁、一般給湯端末に湯を供給する一般給湯経路、浴槽端末に湯を供給する浴槽給湯経路、を含む給湯機と、前記一般給湯経路を少なくとも第１給湯端末に設定された第１給湯温度の湯が通流する第１流路と第２給湯端末に設定された第２給湯温度の湯が通流する第２流路とに分岐して前記湯を分配する分配ユニットと、を備え、前記分配ユニットは、少なくとも、前記第１流路に通流する湯と前記所定圧に減圧された前記低温水とを混合する第１給湯混合弁と、前記第２流路に通流する湯と前記所定圧に減圧された前記低温水とを混合する第２給湯混合弁と、前記第１流路に通流する湯の第１温度を検出する第１温度検出手段と、前記第２流路に通流する湯の第２温度を検出する第２温度検出手段と、前記第１温度に基づいて前記第１給湯温度となるように前記給湯循環ポンプまたは前記第１給湯混合弁を制御し、前記第２温度に基づいて前記第２給湯温度となるように前記給湯循環ポンプまたは前記第２給湯混合弁を制御する制御手段と、を含むことを特徴とする。
【発明の効果】
【０００８】
本発明によれば、一般給湯経路を２つの給湯経路に分岐してそれぞれの給湯経路に同時に異なる温度で給湯することが可能な給湯システムを提供できる。
【図面の簡単な説明】
【０００９】
【図１】第１実施形態に係る給湯システムを示す全体構成図である。
【図２】第１実施形態に係る給湯システムの動作を説明するフローチャートである。
【図３】第１実施形態に係る給湯システムの動作を説明するフローチャートである。
【図４】第２実施形態に係る給湯システムを示す全体構成図である。
【図５】第３実施形態に係る給湯システムを示す全体構成図である。
【図６】第４実施形態に係る給湯システムを示す全体構成図である。
【発明を実施するための形態】
【００１０】
（第１実施形態）
以下、第１実施形態に係る給湯システムについて図１ないし図３を参照して詳細に説明する。図１は第１実施形態に係る給湯システムを示す全体構成図、図２および図３は第１実施形態に係る給湯システムの動作を説明するフローチャートである。まず、給湯システム１００Ａの全体の構成について図１を参照して説明する。本実施形態は、例えば、二世帯住宅（１階に子世帯、２階に親世帯）に適用され、１階の台所にメインリモコンＲ１が設けられ、２階にサブリモコンＲ３が設けられた場合を例に挙げて説明する。
【００１１】
図１に示すように、給湯システム１００Ａは、給湯機１Ａ、分配ユニット５０Ａ、メイン給湯端末６０（第１給湯端末）、サブ給湯端末７０（第２給湯端末）、浴槽８０（浴槽端末）を含んで構成されている。なお、第１実施形態は、給湯機１Ａと分配ユニット５０Ａとが別体で構成され、分配ユニット５０Ａが給湯機１Ａの外部に設けられた場合である。
【００１２】
給湯機１Ａは、貯湯ユニット２、ヒートポンプユニット３（加熱手段）、制御装置４Ａを含んで構成されている。なお、メインリモコン（台所リモコン）Ｒ１、ふろリモコンＲ２、サブリモコンＲ３も、給湯機１Ａに含めるものとする。
【００１３】
貯湯ユニット２は、湯水（熱媒体）を留める貯湯タンク１１（タンク）、一般給湯経路２０、浴槽給湯経路３０を備えている。貯湯ユニット２は、貯湯タンク１１が断熱材によって覆われた状態で四角箱型のケース（不図示）内に収容され、そのケースの内壁と貯湯タンク１１との間の隙間に、一般給湯経路２０および浴槽給湯経路３０を構成する配管や弁などが配置されて構成されている。なお、分配ユニット５０Ａは、例えば、貯湯ユニット２が収容されるケース（不図示）の近傍に配置され、貯湯ユニット２と必要な配管を介して接続されている。
【００１４】
ヒートポンプユニット３は、貯湯タンク１１の下部から取り出した水の沸き上げなどに用いるものであり、公知の技術により構成することができる。例えば、ヒートポンプユニット３は、冷媒（例えば、二酸化炭素）を圧縮して高温・高圧にする圧縮機と、圧縮機からの高温の冷媒によって貯湯タンク１１からの水（低温水）を加熱する凝縮器（水熱交換器）と、凝縮器からの冷媒を膨張（減圧）させる減圧装置と、大気中の熱を吸熱して冷媒を蒸発させる蒸発器（空気熱交換器）と、を備えて構成されている。
【００１５】
貯湯タンク１１は、例えば、ステンレス鋼などの材料によって、円筒形状の胴板と、この胴板の上部の開口を覆う上部鏡板と、胴板の下部開口を覆う下部鏡板との３部材を組み合わせて構成される。
【００１６】
貯湯タンク１１の下部は、配管１２ａを介してヒートポンプユニット３の導入口３ａに接続されている。ヒートポンプユニット３の導出口３ｂは、配管１２ｂを介して貯湯タンク１１の上部と接続されている。また、配管１２ａの途中には三方弁１３が設けられ、三方弁１３には、配管１２ｂの途中から分岐した配管１２ｃが接続され、貯湯タンク１１をバイパスする流路が構成されている。
【００１７】
ちなみに、貯湯タンク１１内の温水の温度は、例えば、貯湯タンク１１内の下部から上部にわたって、相対的に低温、中温、高温の温度分布となり、また貯湯タンク１１内の全体の温水の温度が高温になる。なお、高温水（高温度の水、高温の熱媒体）とは、例えば６５℃から９０℃の温度範囲のものを意味しているが、前記した温度範囲に限定されるものではない。
【００１８】
これにより、貯湯タンク１１の下部から取り出された湯水（例えば、低温水）は、配管１２ａを介してヒートポンプユニット３で加熱されて温水（例えば、高温水）となった後、配管１２ｂを介して貯湯タンク１１の上部から、貯湯タンク１１内に貯湯される。
【００１９】
また、貯湯タンク１１には、鉛直方向（図１の上下方向）に沿って、貯湯される温水の温度を検出する複数のタンク温度センサＴ１が上部から下部にわたって間隔を置いて配置されている。これらタンク温度センサＴ１によって検出された貯湯タンク１１内の温水の温度を示す検出信号は、制御装置４Ａに出力され、給湯システム１００Ａの各種の制御に使用される。
【００２０】
また、貯湯タンク１１の上部には、高温水を取り出し、給湯熱交換器１７を介して貯湯タンク１１の下部に戻す給湯管１５が接続されている。給湯管１５には、上流側から順に、給湯熱交換器１７、給湯循環ポンプＰ１、逆止弁ＣＶ３が設けられている。また、給湯管１５は、貯湯タンク１１の下部と逆止弁ＣＶ３との間に、排水弁（不図示）を備えた排水管１５ａが分岐して接続されている。また、給湯管１５は、貯湯タンク１１の上部と給湯熱交換器１７との間に、貯湯タンク１１内の圧力を所定圧に保つ逃し弁（不図示）を備えた配管１５ｂが分岐して接続されている。
【００２１】
また、貯湯タンク１１の下部には、給水源（水道）と接続される給水管１４が接続されている。なお、給水源としては、水道水に限定されるものではなく、井戸水などであってもよい。
【００２２】
給水管１４には、上流側から順に、ストレーナＳＴ、逆止弁ＣＶ１、減圧弁ＲＶ、逆止弁ＣＶ２が設けられている。また、給水管１４には、逆止弁ＣＶ１と減圧弁ＲＶとの間に給水温度センサＴ２が設けられている。また、給水管１４は、ストレーナＳＴの上流において途中で分岐して、分配ユニット５０Ａ、メイン給湯端末６０およびサブ給湯端末７０と接続されている。
【００２３】
また、給水管１４は、給水温度センサＴ２と減圧弁ＲＶとの間で分岐して、後記する給湯熱交換器１７の二次側（熱を受ける側）の導入口と接続されている。また、給水管１４は、減圧弁ＲＶと逆止弁ＣＶ２との間には、後記する給水管３５が分岐して接続されている。
【００２４】
一般給湯経路２０は、台所、洗面所、ふろ場などの蛇口やシャワー等の一般給湯端末（メイン給湯端末６０、サブ給湯端末７０）に給湯するものであり、供給された湯を一度利用して完了するような利用形態のものを意味している。
【００２５】
また、一般給湯経路２０は、給水管１４からの水道水を、減圧弁で減圧せずに一般給湯端末（メイン給湯端末６０、サブ給湯端末７０）に供給する水道直圧式のものであり、給湯熱交換器１７の二次側（熱を受ける側）の導出口と接続される給湯管２１を備えている。この給湯管２１には、アキュムレータ２２が設けられるとともに、給湯熱交換器１７とアキュムレータ２２との間に、給湯温度センサＴ３、給湯流量センサＦＳ１が設けられている。なお、給湯管２１は、導出口２０ａを介して給湯機１Ａの外部と連通している。
【００２６】
給湯熱交換器１７は、給水管１４から供給される水道水（低温水）を、貯湯タンク１１の上部から取り出した高温水と熱交換することで加熱するものである。この給湯熱交換器１７で熱交換された高温水は、温度が低下して、貯湯タンク１１の下部から貯湯タンク１１内に戻る。
【００２７】
給湯循環ポンプＰ１は、給湯温度センサＴ３によって検出された給湯温度に基づいて、メインリモコンＲ１（ふろリモコンＲ２）で設定された給湯温度となるように給湯循環ポンプＰ１のモータの回転速度を制御（増加、減少）する。なお、給湯流量センサＦＳ１によって、一般給湯端末から給湯が開始されたことが検知される。
【００２８】
浴槽給湯経路３０は、浴槽８０に湯はりするための湯はり回路３１と、浴槽８０に貯留された浴槽水を追いだきする追いだき回路４１と、を有している。
【００２９】
湯はり回路３１は、ふろ配管３３を有し、ふろ配管３３の一端が浴槽８０のアダプタ８０ａの一方と接続され、他端が給湯管１５の貯湯タンク１１と給湯熱交換器１７との間に接続されている。ふろ配管３３には、湯はり時の上流側から順に、第２ふろ混合弁Ｖ２、第１ふろ混合弁Ｖ１、ふろ電磁弁Ｖ３、逆止弁ＣＶ４、逆止弁ＣＶ５が設けられている。また、ふろ配管３３には、逆止弁ＣＶ４と逆止弁ＣＶ５との間に、ふろ流量センサＦＳ２が設けられている。また、ふろ配管３３には、二次側（浴槽８０側）から一次側（貯湯タンク１１側）への逆流を防止する逆流防止装置３４が接続されている。また、逆止弁ＣＶ５の下流側のふろ配管３３には、上流側から順に、ふろ戻り温度センサＴ４、水位センサＬＳ、水流スイッチＦＳＷが設けられている。
【００３０】
水流スイッチＦＳＷは、流体（例えば、浴槽水）が流れることでＯＮ信号を出力し、流体の流れが無くなることでＯＦＦになる機構を備えたスイッチである。このときのＯＮ信号は、制御装置４Ａに出力される。水位センサＬＳは、浴槽８０の水位を検出する機能を有する。
【００３１】
第１ふろ混合弁Ｖ１は、貯湯タンク１１からの高温水と減圧弁ＲＶで減圧された給水管３５からの水（低温水）との混合比率を制御することで、ふろリモコンＲ２で設定されたふろ温度となるように制御される。また、給水管３５には、逆止弁ＣＶ６が設けられている。
【００３２】
第２ふろ混合弁Ｖ２は、貯湯タンク１１からの高温水と貯湯タンク１１の中間に接続された中間取出し配管３６から取り出された湯水（例えば、中温水）との混合比率が制御される。湯はり時において中温水を積極的に取り出して少なくすることで、ヒートポンプユニット３の効率（ＣＯＰ：Coefficient Of Performance）を向上させることができる。
【００３３】
ふろ電磁弁Ｖ３は、湯はり時に開弁される電磁作動式のＯＮ／ＯＦＦ弁（遮断弁）である。
【００３４】
このように、湯はり回路３１では、貯湯タンク１１内の湯を直接に使用することにより、熱交換によって給湯を行う場合よりも熱効率を高めることができる。
【００３５】
追いだき回路４１は、追いだき熱交換器４２の導入口４２ａに配管４３の一端が接続され、導出口４２ｂに配管４４の一端が接続されて構成されている。配管４３の他端は、循環調整弁Ｖ４の一方の導出ポートに接続されている。
【００３６】
追いだき熱交換器４２は、コイル状に巻回されて構成されたものであり、貯湯タンク１１内の上部に配設され、追いだき熱交換器４２内を流れる浴槽水と、貯湯タンク１１内の湯（高温水）とで熱交換するようになっている。
【００３７】
循環調整弁Ｖ４は、開度が調整されることで、配管４５側（追いだき熱交換器４２をバイパスする側）への流量と追いだき熱交換器４２側への流量を調整する機能を有している。
【００３８】
循環調整弁Ｖ４の他方の導出ポートは、配管４５を介して浴槽８０のアダプタ８０ａの他端と接続されている。また、循環調整弁Ｖ４の導入ポートは、配管４６を介して、ふろ配管３３の逆止弁ＣＶ５とふろ戻り温度センサＴ４との間に接続されている。また、配管４６には、循環調整弁Ｖ４に向けて浴槽水（または貯湯タンク１１側からの湯）を吐出させるふろ循環ポンプＰ２が設けられている。また、配管４４の他端は、配管４５に接続されている。また、配管４４には、追いだき温度センサＴ５が設けられている。
【００３９】
なお、本実施形態では、追いだき回路４１として、追いだき熱交換器４２を備える場合を例に挙げて説明したが、これに限定されるものではなく、追いだき熱交換器４２に替えて電気ヒータなど他の追いだき用の加熱装置を備えたものでもよい。
【００４０】
なお、図１に示す逆止弁ＣＶ１〜ＣＶ６は、図中矢印で示す方向の流れのみを許容する弁である（図４、図５および図６も同様）。
【００４１】
制御装置４Ａは、ＣＰＵ（Central Processing Unit）、ＲＯＭ（Read Only Memory）、ＲＡＭ（Random Access Memory）、入出力インターフェイスなどで構成され、メインリモコンＲ１、サブリモコンＲ３、ふろリモコンＲ２からの各種操作信号、各タンク温度センサＴ１で検出されたタンク内温度（検出値）、給水温度センサＴ２、給湯温度センサＴ３、ふろ戻り温度センサＴ４および追いだき温度センサＴ５で検出された各温度（検出値）、給湯流量センサＦＳ１およびふろ流量センサＦＳ２からの各流量（検出値）、水流スイッチＦＳＷからのＯＮ信号、水位センサＬＳからの浴槽８０の水位をそれぞれ取得する。また、制御装置４Ａは、第１ふろ混合弁Ｖ１、第２ふろ混合弁Ｖ２、ふろ電磁弁Ｖ３、循環調整弁Ｖ４、給湯循環ポンプＰ１およびふろ循環ポンプＰ２を制御する。なお、図１では、制御装置４Ａと電気的に接続される信号線や制御線の図示を省略している（後記する図４ないし図６も同様）。
【００４２】
このように構成された浴槽給湯経路３０では、湯はり運転時において、制御装置４Ａが、ふろ電磁弁Ｖ３を開弁するとともに、ふろリモコンＲ２で設定されたふろ温度となるように第１ふろ混合弁Ｖ１および第２ふろ混合弁Ｖ２のそれぞれの混合比率を制御する。なお、湯はり運転時には、必ずしも貯湯タンク１１内の上部の高温水を必要としないことから、貯湯タンク１１の中間取出し配管３６から中温水を取り出し、取り出した中温水と貯湯タンク１１の高温水とを、第２ふろ混合弁Ｖ２において所定の混合比率で混合する。
【００４３】
そして、第２ふろ混合弁Ｖ２で混合された湯は、第１ふろ混合弁Ｖ１において、給水管３５からの水道水と混合される。第１ふろ混合弁Ｖ１で混合された湯は、ふろ配管３３の一部を介してアダプタ８０ａの一方から浴槽８０に供給されるとともに、ふろ循環ポンプＰ２が駆動されて配管４６，４５を介してアダプタ８０ａの他方から浴槽８０に供給される。これにより、湯はりに要する時間を短縮できる。なお、浴槽８０に所定量（ふろリモコンＲ２で設定された量）の湯が供給されたか否かは、制御装置４Ａが、ふろ流量センサＦＳ２の流量を検出することによって判定される。そして、制御装置４Ａは、所定量の湯を供給後、ふろ電磁弁Ｖ３を閉弁する。
【００４４】
また、追いだき運転時には、制御装置４Ａによってふろ循環ポンプＰ２が駆動され、浴槽８０内の湯水が、ふろ配管３３の一部、循環調整弁Ｖ４、配管４３、追いだき熱交換器４２、配管４４、配管４５の一部を順次通り、浴槽８０に戻る。また、制御装置４Ａは、追いだき温度センサＴ５の温度に基づいて、循環調整弁Ｖ４から配管４３への流量と配管４５への流量の分配量を制御する。
【００４５】
ちなみに、追いだきをすると、貯湯タンク１１内の高温水の温度が低下して中温水が発生するが、この中温水（例えば、５０℃程度の湯）をヒートポンプユニット３で沸き上げると効率的に好ましくない。そこで、湯はり運転時において中温水を積極的に取り出して貯湯タンク１１内の中温水を少なくすることで、ヒートポンプユニット３の効率（ＣＯＰ：Coefficient Of Performance）を向上させることができる。
【００４６】
メインリモコンＲ１は、メイン給湯端末６０から給湯される給湯温度を設定でき、給湯温度を設定する操作部（不図示）、設定された給湯温度を表示する表示部（不図示）などを備えている。なお、メインリモコンＲ１で設定される給湯温度が、メインリモコンＲ１の設定温度（第１給湯温度）に対応する。
【００４７】
ふろリモコンＲ２は、浴槽８０に給湯するふろ給湯温度を設定でき、ふろ給湯温度を設定する操作部（不図示）、設定されたふろ給湯温度を表示する表示部（不図示）などを備えている。なお、ふろリモコンＲ２でも、メイン給湯端末６０から給湯される給湯温度を設定できるようになっている。
【００４８】
サブリモコンＲ３は、サブ給湯端末７０から給湯される給湯温度を設定でき、給湯温度を設定する操作部（不図示）、設定された給湯温度を表示する表示部（不図示）などを備えている。なお、サブリモコンＲ３で設定される給湯温度が、サブリモコンＲ３の設定温度（第２給湯温度）に対応する。
【００４９】
図１に示すように、分配ユニット５０Ａは、給湯機１Ａと、メイン給湯端末６０およびサブ給湯端末７０との間に接続されている。すなわち、分配ユニット５０Ａを必要としない場合、つまりメイン給湯端末６０とサブ給湯端末７０のいずれからも同じ温度で給湯する場合には、給湯機１Ａにメイン給湯端末６０、サブ給湯端末７０を一般給湯経路２０の給湯管２１を単に分岐配管（不図示）を介して接続することで通常の給湯システムとして利用できる。分配ユニット５０Ａを取り付けない分、イニシャルコスト（初期投資費用）を低く抑えることができる。
【００５０】
また、分配ユニット５０Ａを必要とする場合、つまりメイン給湯端末６０とサブ給湯端末７０とから互いに異なる温度で給湯する場合には、給湯機１Ａに分配ユニット５０Ａをオプションなどとして接続することで、簡単に対応することができる。このように、分配ユニット５０Ａを給湯機１Ａとは別体で構成することにより（給湯機１Ａの外部に分配ユニット５０Ａを配置することにより）、ユーザが所望する前記利用形態に容易に切り替えることができる。以下において、分配ユニット５０Ａの詳細について図１を参照して説明する。
【００５１】
分配ユニット５０Ａは、一般給湯経路２０（１本の給湯管２１）を２経路に分岐させる給湯分岐配管５１、給水分岐配管５２、メイン給湯混合弁５３（第１給湯混合弁）、サブ給湯混合弁５４（第２給湯混合弁）、メイン給湯配管５５、サブ給湯配管５６、制御装置５７、メイン給湯温度センサＴ６（第１温度検出手段）、メイン給湯流量センサＦＳ３（第１流量検出手段）、サブ給湯温度センサＴ７（第２温度検出手段）、サブ給湯流量センサＦＳ４（第２流量検出手段）を含んで構成されている。
【００５２】
給湯分岐配管５１は、給湯機１Ａの一般給湯経路２０の導出口２０ａと接続される給湯導入配管５１ａと、給湯導入配管５１ａからメイン給湯端末６０側に分岐するメイン給湯分岐配管５１ｂと、給湯導入配管５１ａからサブ給湯端末７０側に分岐するサブ給湯分岐配管５１ｃと、を有している。
【００５３】
給水分岐配管５２は、給湯機１Ａの給水管１４から分岐した給水管１４ａの導出口１４ｂと接続される給水導入配管５２ａと、給水導入配管５２ａからメイン給湯端末６０側に分岐するメイン給水分岐配管５２ｂと、給水導入配管５２ａからサブ給湯端末７０側に分岐するサブ給水分岐配管５２ｃと、を有している。
【００５４】
メイン給湯混合弁５３は、一方の導入ポートがメイン給湯分岐配管５１ｂと接続され、他方の導入ポートがメイン給水分岐配管５２ｂと接続され、メイン給湯分岐配管５１ｂからの湯と、メイン給水分岐配管５２ｂからの水（低温水）との混合比率が制御装置５７によってメインリモコンＲ１で設定された給湯温度となるように制御される。
【００５５】
サブ給湯混合弁５４は、一方の導入ポートがサブ給湯分岐配管５１ｃと接続され、他方の導入ポートがサブ給水分岐配管５２ｃと接続され、サブ給湯分岐配管５１ｃからの湯と、サブ給水分岐配管５２ｃからの水（低温水）との混合比率が制御装置５７によってサブリモコンＲ３で設定された給湯温度となるように制御される。
【００５６】
メイン給湯配管５５は、一端がメイン給湯混合弁５３の導出ポートと接続され、他端がメイン給湯端末６０に接続された配管６０ａと接続されている。また、メイン給湯端末６０には、給水管１４に接続された給水分岐配管１４ｃから分岐した配管６０ｂが接続されている。
【００５７】
サブ給湯配管５６は、一端がサブ給湯混合弁５４の導出ポートと接続され、他端がサブ給湯端末７０に接続された配管７０ａと接続されている。また、サブ給湯端末７０には、給水分岐配管１４ｃから分岐した配管７０ｂが接続されている。
【００５８】
メイン給湯温度センサＴ６は、メイン給湯混合弁５３で湯と水を混合した後の給湯温度（第１温度）を検出するものであり、メイン給湯コン合弁５３の下流側のメイン給湯配管５５に設けられている。
【００５９】
メイン給湯流量センサＦＳ３は、メイン給湯混合弁５３で湯と水を混合した後の給湯流量（第１流量）を検出するものであり、メイン給湯配管５５のメイン給湯温度センサＴ６の下流側に設けられている。後記する制御装置５７は、メイン給湯流量センサＦＳ３から検出値（流量≠０）を取得すると、メイン給湯端末６０から給湯されていると判定する。
【００６０】
サブ給湯温度センサＴ７は、サブ給湯混合弁５４で湯と水を混合した後の給湯温度（第２温度）を検出するものであり、サブ給湯混合弁５４の下流側のサブ給湯配管５６に設けられている。
【００６１】
サブ給湯流量センサＦＳ４は、サブ給湯混合弁５４で湯と水を混合した後の給湯流量（第２流量）を検出するものであり、サブ給湯配管５６のサブ給湯温度センサＴ７の下流側に設けられている。後記する制御装置５７は、サブ給湯流量センサＦＳ４から検出値（流量≠０）を取得すると、サブ給湯端末７０から給湯されていると判定する。
【００６２】
制御装置５７は、ＣＰＵ、ＲＯＭ、ＲＡＭ、入出力インターフェイスなどで構成され、メイン給湯混合弁５３およびサブ給湯混合弁５４を制御し、メイン給湯温度センサＴ６およびサブ給湯温度センサＴ７からの温度（検出値）、メイン給湯流量センサＦＳ３およびサブ給湯流量センサＦＳ４からの流量（検出値）を取得する。
【００６３】
また、制御装置５７は、制御装置４Ａと通信する通信部を備え、給湯機１Ａに分配ユニット５０Ａが接続されて制御装置４Ａと制御装置５７とが接続された場合には、分配ユニット５０Ａが接続されていることを示す信号（フラグなど）を制御装置４Ａに送信する。また、制御装置５７は、メイン給湯温度センサＴ６およびサブ給湯温度センサＴ７の各温度（各検出値）、メイン給湯流量センサＦＳ３およびサブ給湯流量センサＦＳ４の各流量（各検出値）からなる信号を制御装置４Ａに送信する。制御装置５７からの信号を受信した制御装置４Ａは、メイン給湯混合弁５３およびサブ給湯混合弁５４を制御する信号を送信する。このように、分配ユニット５０Ａから給湯機１Ａに送られる情報に基づいて、メイン給湯混合弁５３およびサブ給湯混合弁５４のそれぞれの湯と水の分配比率が制御される。
【００６４】
また、制御装置５７は、メイン給湯温度センサＴ６で検出された温度（給湯温度、第１給湯温度）に基づいて、メインリモコンＲ１で設定された給湯温度（設定温度）となるようにメイン給湯混合弁５３を制御する。なお、湯が配管６０ａを流れる際に配管６０ａからの放熱によって湯の温度が分配ユニット５０Ａからメイン給湯端末６０に至るまでに低下する場合には、メイン給湯温度センサＴ６で検出される温度が、メインリモコンＲ１の設定温度に、温度低下分（α）を加算した温度となるように制御装置５７によってメイン給湯混合弁５３が制御される。
【００６５】
同様に、制御装置５７は、サブ給湯温度センサＴ７で検出された温度（給湯温度、第２給湯温度）に基づいて、サブリモコンＲ３で設定された給湯温度（設定温度）となるようにサブ給湯混合弁５４を制御する。なお、湯が配管７０ａを流れる際に配管７０ａからの放熱によって湯の温度が分配ユニット５０Ａからサブ給湯端末７０に至るまでに低下する場合には、サブ給湯温度センサＴ７で検出される温度が、サブリモコンＲ３の設定温度に、温度低下分（β）を加算した温度となるように制御装置５７によってサブ給湯混合弁５４が制御される。
【００６６】
図２および図３は、第１実施形態に係る給湯システムの動作を説明するフローチャートである。なお、以下では、例えば台所に設置される台所リモコンをメインリモコンＲ１とした場合を例に挙げて説明するが、台所リモコンに替えて一般給湯端末の給湯温度を設定可能なふろリモコンＲ２をメインリモコンとしてもよい。
【００６７】
図２に示すように、メイン給湯端末６０のみ、またはサブ給湯端末７０のみ、メイン給湯端末６０とサブ給湯端末７０の双方の給湯が開始されると、ステップＳ１において、制御装置４Ａは、分配ユニット５０Ａ（制御装置５７、制御基板）が給湯機１Ａに接続されているか否かを判定する。
【００６８】
ステップＳ１において、制御装置４Ａは、給湯機１Ａに分配ユニット５０Ａが接続されていないと判定した場合には（Ｎｏ）、給湯機１Ａの給湯流量センサＦＳ１によって流量（≠０）が検知されたときに、メイン給湯端末６０および／またはサブ給湯端末７０から給湯が開始されたと判定する。
【００６９】
また、ステップＳ１において、制御装置４Ａは、給湯機１Ａに分配ユニット５０Ａが接続されていると判定した場合には（Ｙｅｓ）、メイン給湯流量センサＦＳ３によって流量（≠０）が検知されたときに、メイン給湯端末６０の給湯が開始されたと判定され、サブ給湯流量センサＦＳ４によって流量（≠０）が検知されたときに、サブ給湯端末７０の給湯が開始されたと判定され、メイン給湯流量センサＦＳ３とサブ給湯流量センサＦＳ４の双方により流量（≠０）が検知されたときにメイン給湯端末６０とサブ給湯端末７０の双方の給湯が開始されたと判定する。
【００７０】
また、ステップＳ１において、制御装置４Ａは、分配ユニット５０Ａが接続されていないと判定した場合には（Ｎｏ）、ステップＳ２に進む。給湯機１Ａに分配ユニット５０Ａが接続されていない場合には、制御装置４Ａが分配ユニット５０Ａの制御装置５７と通信することができないので、分配ユニット５０Ａが接続されていないと判定する。
【００７１】
ステップＳ２において、制御装置４Ａは、給湯温度が設定温度と同じであるか否かを判定する。給湯温度とは、給湯温度センサＴ３によって検出される温度である。設定温度とは、メインリモコンＲ１、サブリモコンＲ３（または、メインリモコンＲ１、ふろリモコンＲ２、サブリモコンＲ３）で最後に設定された温度である。つまり、分配ユニット５０Ａが接続されていないので、メインリモコンＲ１の設定温度とサブリモコンＲ３の設定温度はいずれも同じ温度であり、メイン給湯端末６０とサブ給湯端末７０のいずれにも同じ温度の湯が供給されることになる。この場合には、給湯管２１に設けられた給湯温度センサＴ３で検出された温度に基づいて、メインリモコンＲ１（サブリモコンＲ３）で設定された温度となるように、給湯循環ポンプＰ１の回転速度を制御する。
【００７２】
ステップＳ２において、制御装置４Ａは、給湯温度が設定温度と同じであると判定した場合には（Ｙｅｓ）、リターンし、給湯温度が設定温度と異なると判定した場合には（Ｎｏ）、ステップＳ３に進む。
【００７３】
ステップＳ３において、制御装置４Ａは、給湯温度が設定温度より高いか否かを判定し、給湯温度が設定温度より高いと判定した場合には（Ｙｅｓ）、ステップＳ４に進み、給湯温度が設定温度より低いと判定した場合には（Ｎｏ）、ステップＳ５に進む。
【００７４】
ステップＳ４において、制御装置４Ａは、給湯循環ポンプＰ１の回転速度を減少させる。給湯循環ポンプＰ１の回転速度が減少することにより、給湯熱交換器１７における高温水と低温水との熱交換率が低下し、給湯熱交換器１７から一般給湯経路２０（給湯管２１）に導出される湯の温度が低下する。
【００７５】
ステップＳ５において、制御装置４Ａは、給湯循環ポンプＰ１の回転速度を増加させる。給湯循環ポンプＰ１の回転速度が増加することにより、給湯熱交換器１７における高温水と低温水との熱交換率が高まり、給湯熱交換器１７から一般給湯経路２０（給湯管２１）に導出される湯の温度が上昇する。
【００７６】
なお、ステップＳ２，Ｓ３において、配管６０ａ，７０ａからの放熱ロスを考慮して判定してもよい。
【００７７】
一方、ステップＳ１において、制御装置４Ａは、給湯機１Ａと分配ユニット５０Ａとが接続されていると判定した場合（Ｙｅｓ）、ステップＳ６に進む。ステップＳ６において、制御装置４Ａは、メインリモコンＲ１の設定温度（第１給湯温度）と、サブリモコンＲ３の設定温度（第２給湯温度）とが同じであるか否かを判定する。
【００７８】
ステップＳ６において、制御装置４Ａは、同じ温度であると判定した場合には（Ｙｅｓ）、ステップＳ７に進み、異なる温度であると判定した場合には（Ｎｏ）、図３のステップＳ１１に進む。
【００７９】
ステップＳ７において、制御装置４Ａは、給湯温度（メインリモコンＲ１およびサブリモコンＲ３）が（設定温度＋α）と同じであるか否かを判定する。なお、「＋α」とは、配管部（配管６０ａ，７０ａ）での放熱ロスを考慮した場合に加算される温度である。制御装置４Ａは、例えば、給湯機１Ａの外部に設けられた図示しない外気温度センサの外気温度に基づいて、「α」を、例えば、１℃、２℃、５℃に設定するのかを自動的に算出する。冬季であれば、「α」を高めに設定し、夏季であれば、「α」を低めに設定する。このように、季節などに応じて「α」を可変にすることにより、年間を通して「α」を常に高めに設定する場合よりも、エネルギ消費を抑えることが可能になる（省エネになる）。
【００８０】
ステップＳ７において、制御装置４Ａは、給湯温度（メインリモコンＲ１およびサブリモコンＲ３）が（設定温度＋α）と同じであると判定した場合には、ステップＳ７の処理を繰り返し、給湯温度（メインリモコンＲ１およびサブリモコンＲ３）が（設定温度＋α）と異なると判定した場合には、ステップＳ８に進む。
【００８１】
ステップＳ８において、制御装置４Ａは、給湯温度（メインリモコンＲ１およびサブリモコンＲ３）が（設定温度＋α）より高いか否かを判定し、給湯温度（メインリモコンＲ１およびサブリモコンＲ３）が（設定温度＋α）より高いと判定した場合には（Ｙｅｓ）、ステップＳ９に進み、給湯温度（メインリモコンＲ１およびサブリモコンＲ３）が（設定温度＋α）より低いと判定した場合には（Ｎｏ）、ステップＳ１０に進む。なお、ステップＳ９は、前記したステップＳ４と同様であり、ステップＳ１０は、前記したステップＳ５と同様である。
【００８２】
なお、メイン給湯端末６０とサブ給湯端末７０とを同時に使用する場合には、１ケ所で使用する場合よりも多くの湯（流量）が必要となるため、「α」については、１ケ所で使用する場合よりも大きく設定することが好ましい。
【００８３】
図３に示すステップＳ１１において、制御装置４Ａは、メインリモコンＲ１の設定温度とサブリモコンＲ３の設定温度とを比較して、メインリモコンＲ１の設定温度がサブリモコンＲ３の設定温度よりも高いか否かを判定する。ステップＳ１１において、制御装置４Ａは、メインリモコンＲ１の設定温度がサブリモコンＲ３の設定温度よりも高いと判定した場合には（Ｙｅｓ）、ステップＳ１３に進み、メインリモコンＲ１の設定温度がサブリモコンＲ３の設定温度よりも低いと判定した場合には（Ｎｏ）、ステップＳ１２に進む。
【００８４】
ステップＳ１３において、制御装置４Ａは、メイン給湯温度センサＴ６で検出される給湯温度がメインリモコンＲ１の（設定温度＋α）と同じであるか否かを判定する。ステップＳ１３において、制御装置４Ａは、給湯温度がメインリモコンＲ１の（設定温度＋α）と同じであると判定した場合には（Ｙｅｓ）、ステップＳ１３の処理を繰り返し、給湯温度がメインリモコンＲ１の（設定温度＋α）と異なると判定した場合には（Ｎｏ）、ステップＳ１４に進む。
【００８５】
ステップＳ１４において、制御装置４Ａは、給湯温度がメインリモコンＲ１の（設定温度＋α）より高いか否かを判定する。ステップＳ１４において、制御装置４Ａは、給湯温度がメインリモコンＲ１の（設定温度＋α）より高いと判定した場合には（Ｙｅｓ）、ステップＳ１５に進み、給湯温度がメインリモコンＲ１の（設定温度＋α）より低いと判定した場合には（Ｎｏ）、ステップＳ１６に進む。なお、ステップＳ１５は、ステップＳ４と同様であり、ステップＳ１６は、ステップＳ５と同様である。
【００８６】
このように、ステップＳ１１，Ｓ１３，Ｓ１４，Ｓ１５，Ｓ１６の処理を実行する場合において、メイン給湯端末６０とともにサブ給湯端末７０が給湯している場合には、サブ給湯端末７０の給湯温度がメイン給湯端末６０の給湯温度よりも低くなるように、サブ給湯混合弁５４の開度を調整して、サブリモコンＲ３の（設定温度＋β（後記する））となるように制御する。
【００８７】
一方、サブリモコンＲ３の設定温度がメインリモコンＲ１の設定温度より高い場合（Ｓ１１、Ｎｏ）、ステップＳ１２において、制御装置４Ａは、サブ給湯端末７０が現在給湯しているか否かを判定する。ステップＳ１２において、制御装置４Ａは、サブ給湯端末７０が給湯していると判定した場合には（Ｙｅｓ）、ステップＳ１７に進み、一方、サブ給湯端末７０が給湯していないと判定した場合には（Ｎｏ）、ステップＳ１３に進む。
【００８８】
ステップＳ１７において、制御装置４Ａは、サブ給湯温度センサＴ７で検出される給湯温度がサブリモコンＲ３の（設定温度＋β）と同じであるか否かを判定する。なお、「β」は、「α」と同様にして設定される。また、メイン給湯端末６０とサブ給湯端末７０の設置条件に応じて、「β」を「α」と同じ値（温度差）に設定してもよく、「β」を「α」と異なる値（温度差）に設定してもよい。例えば、配管７０ａでの放熱ロスが配管６０ａでの放熱ロスよりも大きい場合には、「β」＞「α」とし、逆に、配管６０ａでの放熱ロスが配管７０ａでの放熱ロスよりも大きい場合には、「α」＞「β」とする。
【００８９】
ステップＳ１７において、制御装置４Ａは、サブ給湯温度センサＴ７で検出される給湯温度がサブリモコンＲ３の（設定温度＋β）と同じであると判定した場合には（Ｙｅｓ）、ステップＳ１７の処理を繰り返し、サブ給湯温度センサＴ７で検出される給湯温度がサブリモコンＲ３の（設定温度＋β）と異なる場合には（Ｎｏ）、ステップＳ１８に進む。
【００９０】
ステップＳ１８において、制御装置４Ａは、サブ給湯温度センサＴ７で検出される給湯温度がサブリモコンＲ３の（設定温度＋β）より高いか否かを判定する。ステップＳ１８において、制御装置４Ａは、サブ給湯温度センサＴ７で検出される給湯温度がサブリモコンＲ３の（設定温度＋β）より高いと判定した場合には（Ｙｅｓ）、ステップＳ１９に進み、サブ給湯温度センサＴ７で検出される給湯温度がサブリモコンＲ３の（設定温度＋β）より低いと判定した場合にはステップＳ２０に進む。なお、ステップＳ１９は、ステップＳ４と同様であり、ステップＳ２０は、ステップＳ５と同様である。
【００９１】
このように、ステップＳ１１，Ｓ１２，Ｓ１７，Ｓ１８，Ｓ１９，Ｓ２０の処理を実行する場合において、サブ給湯端末７０とともにメイン給湯端末６０が給湯している場合には、メイン給湯端末６０の給湯温度がサブ給湯端末７０の給湯温度よりも低くなるように、メイン給湯混合弁５３の開度を調整して、メインリモコンＲ１の（設定温度＋α）となるように制御する。
【００９２】
なお、ステップＳ１２において、サブ給湯端末７０が給湯していない場合には（Ｎｏ）、メイン給湯端末６０のみが給湯しているので、ステップＳ１３に進んで、メイン給湯端末６０からの給湯温度が、メインリモコンＲ１の（設定温度＋α）となるように給湯循環ポンプＰ１の回転速度が制御される（Ｓ１３，Ｓ１４，Ｓ１５，Ｓ１６）。
【００９３】
また、フローには図示していないが、分配ユニット５０Ａが接続され、メイン給湯端末６０から給湯されている場合において、メイン給湯流量センサＦＳ３からの流量が０と判定されたときには、メイン給湯端末６０からの給湯が停止したと判定される。また、サブ給湯端末７０から給湯されている場合において、サブ給湯流量センサＦＳ４からの流量が０と判定されたときには、サブ給湯端末７０からの給湯が停止したと判定される。
【００９４】
以上説明したように、第１実施形態の給湯システム１００Ａは、湯水（熱媒体）を貯留する貯湯タンク１１、貯湯タンク１１内の湯水を加熱するヒートポンプユニット３、貯湯タンク１１から取り出した高温の湯（熱媒体）とそれよりも低温の低温水とを熱交換する給湯熱交換器１７、メイン給湯端末６０（一般給湯端末）およびサブ給湯端末７０（一般給湯端末）に湯を供給する一般給湯経路２０、浴槽８０に湯を供給する浴槽給湯経路３０、を含む給湯機１Ａと、一般給湯経路２０をメイン給湯端末６０側のメイン給湯分岐配管５１ｂとサブ給湯端末７０側のサブ給湯分岐配管５１ｃとに分岐して湯を分配する分配ユニット５０Ａと、を備え、分配ユニット５０Ａは、メイン給湯分岐配管５１ｂに通流する湯と低温水とを混合するメイン給湯混合弁５３と、サブ給湯分岐配管５１ｃに通流する湯と低温水とを混合するサブ給湯混合弁５４と、メイン給湯分岐配管５１ｂに通流する湯の温度を検出するメイン給湯温度センサＴ６と、サブ給湯分岐配管５１ｃに通流する湯の温度を検出するサブ給湯温度センサＴ７と、メイン給湯温度センサＴ６で検出される温度に基づいてメイン給湯端末６０の設定温度となるように給湯熱交換器１７での熱交換率とメイン給湯混合弁５３での混合率を制御し、サブ給湯温度センサＴ７で検出される温度に基づいてサブ給湯端末７０の設定温度となるように給湯熱交換器１７での熱交換率とサブ給湯混合弁５４の混合率を制御する制御手段（制御装置４Ａおよび制御装置５７）と、を含むものである。
【００９５】
このように構成された給湯システム１００Ａによれば、メイン給湯端末６０に給湯される湯の温度と、サブ給湯端末７０に給湯される湯の温度と、を異なる給湯温度に設定することが可能になる。つまり、これまでは、一般給湯端末側では、メインリモコンＲ１の設定温度（ふろリモコンＲ２の設定温度）またはサブリモコンＲ３の設定温度のひとつの給湯温度しか設定できなかったものが、給湯機１Ａに分配ユニット５０Ａを接続することにより、メイン給湯端末６０ではメインリモコンＲ１の設定温度で給湯でき、かつ、サブ給湯端末７０ではサブリモコンＲ３の設定温度（メインリモコンＲ１の設定温度と異なる温度）で給湯できるようになる。よって、これまでは、一般給湯と浴槽給湯とで２つの温度でしか対応できなかったものが、給湯システム１００Ａによって一般給湯と浴槽給湯とで３つの温度に対応できるようになる。
【００９６】
（第２実施形態）
図４は、第２実施形態に係る給湯システムを示す全体構成図である。この第２実施形態の給湯システム１００Ｂは、第１実施形態での給湯機１Ａと分配ユニット５０Ａとが一体に構成されたもの、換言すると、貯湯ユニット２のケース（不図示）の内部に分配ユニット５０Ｂが組み込まれて構成されたものである。また、第２実施形態では、第１実施形態での制御装置５７を制御装置４Ａに組み込んで、制御装置４Ｂ（制御手段）としたものである。なお、第１実施形態と同様の構成については、同一の符号を付して重複した説明を省略する。また、給湯システム１００Ｂの動作についても、第１実施形態と同様である。
【００９７】
図４に示すように、貯湯ユニット２の内部に分配ユニット５０Ｂを組み込んで給湯機１Ｂとすることにより、メイン給湯端末６０に給湯される湯の温度と、サブ給湯端末７０に給湯される湯の温度と、を異なる給湯温度に設定することが可能になる。しかも、制御基板（第１実施形態での制御装置５７に対応するもの）を制御装置４Ｂと共通の基板で構成することができるので、複数の制御装置が不要になり、第１実施形態のように給湯機１Ａと分配ユニット５０Ａとを別体にする場合よりも製造コストを低く抑えることができるともに分配ユニットが別体の場合と比べて給湯システム１００Ｂの設置作業を簡略化することができ、しかも分配ユニット５０Ｂが接続される判定を不要にできるので、制御を簡略化できる。
【００９８】
（第３実施形態）
図５は、第３実施形態に係る給湯システムを示す全体構成図である。第３実施形態の給湯システム１００Ｃは、混合弁タイプ（減圧弁タイプ）であり、給湯混合弁Ｖ６で混合された湯を一般給湯端末（メイン給湯端末６０およびサブ給湯端末７０）に供給するタイプである。なお、第３実施形態においても、第１実施形態と同様の構成については、同一の符号を付して重複した説明を省略する。
【００９９】
給湯システム１００Ｃは、給湯機１Ｃ、分配ユニット５０Ｃ、メイン給湯端末６０（第１給湯端末）、サブ給湯端末７０（第２給湯端末）、浴槽８０（浴槽端末）を含んで構成されている。なお、第３実施形態では、給湯機１Ｃと分配ユニット５０Ｃとが別体で構成されているものである。
【０１００】
給湯機１Ｃは、一般給湯経路２０として、給湯管１８、給水管１９、給湯混合弁Ｖ６、逆止弁ＣＶ７，ＣＶ８などを備えている。なお、給湯混合弁Ｖ６より下流側の給湯管２１は、第１実施形態の給湯熱交換器１７の下流側の給湯管２１と同様である。
【０１０１】
給湯管１８は、その一端が貯湯タンク１１の上部に接続される給湯管１５に接続され、他端が給湯混合弁Ｖ６の一方の導入ポートに接続されている。また、給湯管１８には、逆止弁ＣＶ７が設けられている。
【０１０２】
給水管１９は、その一端が貯湯タンク１１の下部と減圧弁ＲＶ１との間の給水管１４に接続され、他端が給湯混合弁Ｖ６の他方の導入ポートに接続されている。また、給水管１９には、逆止弁ＣＶ８が設けられている。このように、給水管１９には、減圧弁ＲＶ１で所定値に減圧された後の水（低温水）が通流するようになっている。なお、所定値は、貯湯タンク１１の耐圧などに基づいて設定される。
【０１０３】
給湯混合弁Ｖ６は、貯湯タンク１１内の上部の湯（高温水）と、水（低温水）との混合比率を調整して、導出ポートを介して一般給湯経路２０に導出するものである。
【０１０４】
分配ユニット５０Ｃは、第１実施形態の分配ユニット５０Ａに、減圧弁ＲＶ２を追加したものである。この減圧弁ＲＶ２は、給水分岐配管５２の給水導入配管５２ａに設けられ、給水源の水圧を所定値に減圧するものである。減圧弁ＲＶ２は、この減圧弁ＲＶ２で減圧された水（低温水）の圧力が、減圧弁ＲＶ１で減圧後の圧力と等しく（略等しく）なるように構成されている。これにより、給水管１４ａからの圧力が、給湯管２１からの圧力よりも高くなるのを防止できるので、メイン給湯混合弁５３やサブ給湯混合弁５４を介して給湯分岐配管５１や給湯分岐配管５２に水が逆流したり、またメイン給湯端末６０やサブ給湯端末７０に水のみが供給されるといった不具合を防止できる。
【０１０５】
なお、給湯システム１００Ｃの動作については、図２に示すステップＳ４，Ｓ９および図３のステップＳ１５，Ｓ１９に替えて、給湯管１８から給湯混合弁Ｖ６に導入される湯（高温水）の混合比率を減少させる制御が行われ、図２に示すステップＳ５，Ｓ１０および図３に示すステップＳ１６，Ｓ２０に替えて、給湯管１８から給湯混合弁Ｖ６に導入される湯（高温水）の混合比率を増加させる制御が行われる。その他の動作については、第１実施形態と同様である。
【０１０６】
第３実施形態によれば、第１実施形態と同様に、メイン給湯端末６０に給湯される湯の温度と、サブ給湯端末７０に給湯される湯の温度と、を異なる給湯温度に設定することが可能になる。
【０１０７】
なお、第３実施形態では、減圧弁ＲＶ１，ＲＶ２を備える構成を例に挙げて説明したが、これに限定されるものではなく、給水管１４の給水管１４ａが接続される接続点よりも上流側に減圧弁を設けるようにしてもよい。これにより、単一の減圧弁で対応することができる。なお、この場合、ストレーナＳＴをその減圧弁の上流側に配置する。
【０１０８】
（第４実施形態）
図６は、第４実施形態に係る給湯システムを示す全体構成図である。第４実施形態の給湯システム１００Ｄは、加熱手段としてのヒートポンプユニット３に替えて電気ヒータ９０Ａ，９０Ｂを備えたものである。
【０１０９】
給湯システム１００Ｄは、給湯機１Ｄ、分配ユニット５０Ａ、メイン給湯端末６０（第１給湯端末）、サブ給湯端末７０（第２給湯端末）、浴槽８０（浴槽端末）を含んで構成されている。なお、第４実施形態では、給湯機１Ｄと分配ユニット５０Ａとが別体で構成されているものである。
【０１１０】
給湯機１Ｄの貯湯タンク１１内には、下部に電気ヒータ９０Ａが設けられ、上部に電気ヒータ９０Ｂが設けられている。この電気ヒータ９０Ａ，９０Ｂは、シーズヒータなどで構成されている。
【０１１１】
貯湯タンク１１内の水（低温水）を沸き上げる場合には、制御装置４Ａによって下部の電気ヒータ９０Ａがオンにされる。電気ヒータ９０Ａによって下部の水が温められると、上部に移動し、水は下部へ移動する。このように貯湯タンク１１内で対流が発生することにより、貯湯タンク１１内の水全体が沸き上げられて高温水となる。また、少量の湯を使用する場合には、上部の電気ヒータ９０Ｂをオンにして、貯湯タンク１１内の上部だけを温めて、給湯に利用する。
【０１１２】
第４実施形態によれば、第１実施形態と同様に、メイン給湯端末６０に給湯される湯の温度と、サブ給湯端末７０に給湯される湯の温度と、を異なる給湯温度に設定することが可能になる。
【０１１３】
また、第４実施形態によれば、ヒートポンプユニット３に替えて電気ヒータ９０Ａ，９０Ｂとすることにより、製造コストを抑えることができる。また、ヒートポンプユニット３のように、沸き上げた湯を貯湯タンク１１の上部から入れると、湯が冷めるが、電気ヒータ９０Ａ，９０Ｂにすることにより、湯を沸かす点において有利である。
【０１１４】
なお、第４実施形態の電気ヒータ９０Ａ，９０Ｂを、第１実施形態ないし第３実施形態に適用してもよい。
【０１１５】
本発明は、前記した実施形態に限定されるものではなく、その趣旨を逸脱しない範囲において適宜その構成を変更することができるものである。例えば、第３実施形態の給湯システム１００Ｃにおいて、給湯機１Ｃと分配ユニット５０Ｃとを第２実施形態のように一体に構成するものであってもよく、第４実施形態の給湯システム１００Ｄにおいて、給湯機１Ｄと分配ユニット５０Ａとを第２実施形態のように一体に構成するものであってもよい。
【０１１６】
また、各実施形態では、第１給湯端末として、単一のメイン給湯端末６０しか図示していないが、分配ユニット５０Ａ，５０Ｂ，５０Ｃの下流側を適宜分岐させて、複数の第１給湯端末を接続するようにしてもよい。また、第２給湯端末についても同様である。
【符号の説明】
【０１１７】
１００Ａ，１００Ｂ，１００Ｃ，１００Ｄ  給湯システム
１Ａ，１Ｂ，１Ｃ，１Ｄ  給湯機
２        貯湯ユニット
３        ヒートポンプユニット（加熱手段）
４        制御装置（制御手段）
１１      貯湯タンク（タンク）
１７      給湯熱交換器
２０      一般給湯経路
３０      ふろ給湯経路
５０Ａ，５０Ｂ，５０Ｃ  分配ユニット
５１ｂ    メイン給湯分岐配管（第１流路）
５１ｃ    サブ給湯分岐配管（第２流路）
５３      メイン給湯混合弁（第１給湯混合弁）
５４      サブ給湯混合弁（第２給湯混合弁）
５５      メイン給湯配管（第１流路）
５６      サブ給湯配管（第２流路）
５７      制御装置（制御手段）
６０      メイン給湯端末（第１給湯端末）
７０      サブ給湯端末（第２給湯端末）
８０      浴槽（浴槽端末）
９０Ａ，９０Ｂ  電気ヒータ
ＦＳ１    給湯流量センサ
ＦＳ３    メイン給湯流量センサ
ＦＳ４    サブ給湯流量センサ
Ｐ１      給湯循環ポンプ
Ｒ１      メインリモコン
Ｒ２      ふろリモコン
Ｒ３      サブリモコン
Ｔ６      メイン給湯温度センサ（第１温度検出手段）
Ｔ７      サブ給湯温度センサ（第２温度検出手段）
ＲＶ１，ＲＶ２  減圧弁
Ｖ６      給湯混合弁
【図１】
2014102042.tif 000003
【図２】
2014102042.tif 000004
【図３】
2014102042.tif 000005
【図４】
2014102042.tif 000006
【図５】
2014102042.tif 000007
【図６】
2014102042.tif 000008